(57)【要約】【課題】削除されてしまうことが当たり前の書換自由なＵＳＢメモリというメディアに、予めデータファイルやプログラムを格納して提供しても無意味な結果を生むこととなり、何かデータを消されない工夫をしたり、バックアップデータを作成しておく仕掛けが必要になる。【解決手段】ＵＳＢメモリの不揮発性メモリ内に格納されるデータは、コンピュータにコピーされるデータファイルと、接続されたコンピュータへ自動的にコピーを行うソフトウェアプログラムがあり、ＵＳＢメモリをコンピュータのＵＳＢポートに接続した際に自動的にマイコンピュータ内にＵＳＢメモリのドライブが形成されて、そのドライブのアイコンをクリックする、もしくはＵＳＢポートにＵＳＢメモリを差し込むのみで、自動的にコンピューターへＵＳＢメモリ内のデータファイルがコピーされるプログラムが起動する機能を持ったＵＳＢメモリを提供する。【選択図】図１
2004318487.tif 000002
【特許請求の範囲】
【請求項１】
コンピューターに接続するＵＳＢ端子と不揮発性メモリとコントロールチップを持ったＵＳＢ接続フラッシュメモリにおいて、前記不揮発性メモリ内にデータやソフトウェアプログラムを格納して、そのプログラムの機能により予め不揮発性メモリ内に格納されていたデータが接続されたコンピューターに自動的にコピーされることを特徴とする自動コピー機能つきＵＳＢメモリ。
【請求項２】
不揮発性メモリ内に格納されるデータは、コンピュータにコピーされるデータファイルと、接続されたコンピュータへ自動的にコピーを行うソフトウェアプログラムがあり、ＵＳＢメモリをコンピュータのＵＳＢポートに接続した際に自動的にマイコンピュータ内にＵＳＢメモリのドライブが形成されて、そのドライブのアイコンをクリックする、もしくはＵＳＢポートにＵＳＢメモリを差し込むのみで、自動的にコンピューターへＵＳＢメモリ内のデータファイルがコピーされるプログラムが起動することを特徴とする請求項１記載の自動コピー機能つきＵＳＢメモリ。
【請求項３】
不揮発性メモリ内に、指定したプログラムを自動的に開始するオートランプログラムが格納されており、ＵＳＢメモリのドライブのアイコンをクリック、もしくはＵＳＢメモリをＵＳＢポートに差し込むのみで、前期オートランプログラムの機能により指定したプログラムが自動的に起動することを特徴とする請求項１〜２記載の自動コピー機能つきＵＳＢメモリ。
【請求項４】
自動的にデータファイルをコンピュータにコピーするプログラムは、ユーザーにどの場所にコピーするかを質問する過程があり、ユーザーの指定したフォルダにコピーをすることを特徴とする請求項１〜３記載の自動コピー機能つきＵＳＢメモリ。
【請求項５】
自動的にデータファイルをコンピュータにコピーするプログラムは、ＵＳＢメモリ内に予め格納されている自己解凍プログラムであり、自己解凍しながらデータファイルをコンピュータへコピーし、そのコピーを行う際に現れる画面は、新しく作成されるフォルダ名と、そのフォルダの形成される場所と、コピーを行うことをユーザーが認識するための表記を持つことを特徴とする請求項１〜４記載の自動コピー機能つきＵＳＢメモリ。
【請求項６】
不揮発性メモリ内に格納されたデータが、企業の広告・宣伝を行う目的で製作されたプログラムであり、ＵＳＢメモリに前期広告を格納することによる広告収入により、ハードウェアの価格を通常価格よりも格段に安く設定、もしくは無料でお客様に配布することを特徴とする請求項１〜５記載の自動コピー機能つきＵＳＢメモリ。
【発明の詳細な説明】
【０００１】
【発明の属する技術分野】
本発明はパーソナルコンピューターに接続して使用するＵＳＢ接続のフラッシュメモリであり、予め不揮発性メモリ内にデータやソフトウェアプログラムを格納して、その格納されたソフトウェアプログラムの機能により、ＵＳＢメモリに予め格納されたデータファイルが接続されたコンピュータにコピーされる機能を持ったＵＳＢメモリに関する。
【０００２】
【従来の技術】
ＣＤ−ＲＯＭを媒体としてデータやプログラムを提供する方法が現在の主流であり、書き換え不可能なメディアを使用しているために問題はほとんどおこらない。容量あたりの価格も格段に安くて、現在はＵＳＢメモリがそれにとってかわることは大変に難しい。ＵＳＢメモリは簡単に書き換え可能なメディアであり、ＣＤ−ＲＯＭのかわりとしてＵＳＢメモリを使うことは従来まで困難であった。
【０００３】
メディアからコンピュータへデータを自動的にコピーする機能をそれ自体に持たせることは従来は不必要な機能であり、そのような機能を持たせたメディアは存在していない。
【０００４】
ＵＳＢメモリによりソフトウェアプログラムやデータを格納して、一般消費者へ提供した場合には、ユーザーはすぐにそのデータを削除ししまうことが考えられる。それでは予めソフトウェアを格納して提供した意味がなくなってしまい、何かの新しい方法で提供したソフトをどこかに保存してしまう機能を持ったＵＳＢメモリを発明する必要がある。
【０００５】
自動的にコピーを行う機能を持ったＵＳＢメモリは、従来までは存在せず、そのような機能を追加するためには、新しい技術が必要となる。
【０００６】
【発明が解決しようとする課題】
ＵＳＢメモリによりデータファイルを一般消費者に提供する際には、データを通常の方法でコピーして格納しておくだけでは、トラブルシューティングの視点から見て無責任かつ不十分ありで問題の発生する率が大変に高かった。
【０００７】
なぜなら、ＣＤ−ＲＯＭと違ってＵＳＢメモリ中のデータは始めから消去して、開いた容量を使うことが目的で商品を購入する一般消費者が圧倒的に多いためである。ＵＳＢメモリの商品代金はハードウェアの価値により支払われるもので、内蔵しているソフトは一般消費者にとっておまけのような感覚である。
【０００８】
ＵＳＢメモリ内のデータがユーザーにとって有用であった場合には、ＵＳＢメモリの空き容量を増やすためにコンピュータのハードディスクにデータをコピーして空き容量をふやすことを行うが、どのデータをコピーして保存しておくかは当然ユーザーの任意である。しかし、それではハードの価格を下げるために収納した宣伝・広告、オープンオフィスのインストールデータ、サポートに必要なＲＥＡＤＭＥファイルなどのデータは優先的に消去されてしまうこととなってしまう。
【０００９】
削除されてしまうことが当たり前の書換自由なメディアに、予めデータファイルやプログラムを格納して提供しても無意味な結果を生むこととなり、何かデータを消されない工夫をしたり、バックアップデータを作成しておく仕掛けが必要になる。ＵＳＢメモリにより提供したデータを自動的にバックアップする機能をつけなければ、ＵＳＢメモリで、データをユーザーに間違いなく提供することは難しい。
【００１０】
ＵＳＢメモリにより宣伝・広告を提供した場合には、広告収入によりハードウェアの価格を他社よりも安くすることが可能であるが、その広告が通常の方法で格納しているだけであれば、ほとんどの場合に消去されてしまって宣伝・広告の役割を果たすことができない。
【００１１】
本発明はこのような事情を鑑みて発明されたＵＳＢメモリであり、格納されたソフトウェアプログラムにより、ＵＳＢメモリ内のデータファイルを自動的に接続されたコンピュータにコピーすることを目的とする。
【００１２】
【課題を解決するための手段】
請求項１発明では、コンピューターに接続するＵＳＢ端子と不揮発性メモリと制御チップを持ったＵＳＢ接続フラッシュメモリにおいて、前記不揮発性メモリ内にデータやソフトウェアプログラムを格納して、そのプログラムの機能により予め不揮発性メモリ内に格納されていたデータが自動的に接続されたコンピューターにコピーされることを特徴とする自動コピー機能つきＵＳＢメモリを提供することで、ユーザーの手間をかけることなく、ＵＳＢメモリ内に格納されたデータファイルをバックアップすることができる。
【００１３】
請求項２の発明では不揮発性メモリ内に格納されるデータは、コンピュータにコピーされるデータファイルと、接続されたコンピュータへ自動的にコピーを行うソフトウェアプログラムがあり、ＵＳＢメモリをコンピュータのＵＳＢポートに接続した際に自動的にマイコンピュータ内にＵＳＢメモリのドライブが形成されて、そのドライブのアイコンをクリックする、もしくはＵＳＢポートにＵＳＢメモリを差し込むのみで、自動的にコンピューターへＵＳＢメモリ内のデータファイルがコピーされるプログラムが起動することを特徴とする請求項１記載の自動コピー機能つきＵＳＢメモリを提供することで、ユーザーの手間をかけることなく、ＵＳＢメモリ内に格納されたデータファイルをバックアップすることができる。
【００１４】
請求項３の発明では、不揮発性メモリ内に自動的に指摘したプログラムを開始されるオートランプログラムが格納されており、ＵＳＢメモリのドライブのアイコンをクリック、もしくはＵＳＢメモリをＵＳＢポートに差し込むのみで、前期オートランプログラムが起動してそれが指定したプログラムが自動起動して、コンピュータへのコピーを自動的に行うプログラムが起動することを特徴とする請求項１〜２記載の自動コピー機能つきＵＳＢメモリを提供することで、ユーザーの手間をかけることなく、ＵＳＢメモリ内に格納されたデータファイルをバックアップすることができる。
【００１５】
請求項４の発明では自動的にデータファイルをコンピュータにコピーするプログラムは、ユーザーにどの場所にコピーするかを質問する過程があり、ユーザーの指定したフォルダにコピーをすることを特徴とする請求項１〜３記載の自動コピー機能つきＵＳＢメモリを提供することで、ユーザーの手間をかけることなく、ＵＳＢメモリ内に格納されたデータファイルをバックアップすることができる。
【００１６】
請求項５の発明では、自動的にデータファイルをコンピュータにコピーするプログラムは、ＵＳＢメモリ内に予め格納されている自己解凍プログラムであり、自己解凍しながらデータファイルをコンピュータへコピーし、そのコピーを行う際に現れる画面は、新しく作成されるフォルダ名と、そのフォルダの形成される場所と、コピーを行うことをユーザーが認識するための表記を持つことを特徴とする請求項１〜４記載の自動コピー機能つきＵＳＢメモリを提供することで、ユーザーの手間をかけることなく、ＵＳＢメモリ内に格納されたデータファイルをバックアップすることができる。
【００１７】
請求項６の発明では、不揮発性メモリ内に格納されたデータが、企業の広告・宣伝を行う目的で製作されたプログラムであり、ＵＳＢメモリに前期広告を格納することによる広告収入により、ハードウェアの価格を通常価格よりも格段に安く設定、もしくは無料でお客様に配布することを特徴とする請求項１〜５記載の自動コピー機能つきＵＳＢメモリを提供することで、ユーザーの手間をかけることなく、ＵＳＢメモリ内に格納されたデータファイルをバックアップすることができる。
【００１８】
【発明の実施の形態】
本発明の実施の形態を、図面を参照しながら以下に説明する。本発明は図１の通りに現された自動コピー機能つきＵＳＢメモリ１であり、パソコンに接続するＵＳＢ端子２と、コントロールチップ４と不揮発性メモリ３と、不揮発性メモリ３内に格納されたコピーを行う機能を持ったソフトウェアプログラム５とデータファイル６より構成されている。
【００１９】
ＵＳＢメモリ１のＵＳＢ端子２をコンピュータ９のＵＳＢポートに差し込み、自動的に形成されるＵＳＢメモリのドライブをクリック、もしくは差し込む動作のみで、自動的にコンピュータへＵＳＢメモリ内のデータを自動的にコピーする機能を持ったソフトウェアプログラム５が起動して、不揮発性メモリ内に格納されたデータファイル６が、コンピュータ９のハードディスク内にコピーされる。
【００２０】
図面（ｂ）について説明すると、自己解凍機能を持ち圧縮されて格納されているソフトウェアプログラムやデータファイルを持った自己解凍ファイル７は、自己解凍機能を持ったソフトウェアプログラムを自動的に起動させるオートランプログラム８によって自動的に起動される。つまり、マイコンピュータ内に現れたアイコンをクリックする、もしくはＵＳＢポートにＵＳＢメモリを差し込むことで、コンピュータへデータのコピーが自動的に行われるのである。
【００２１】
以上、本発明の一実施形態について詳細に説明したが、本発明の技術的範囲は上記実施形態のものに限るものではなく、他にも様々な形態として具現することができる。
【００２２】
【実施例】
サンマイクロシステムズにより開発されたオープンオフィスをＵＳＢメモリにより提供する場合の実施例について説明する。不揮発性メモリ内には、圧縮されたオープンオフィス関連の自己解凍ファイルとＡＵＴＯＲＵＮプログラムが予め格納されてユーザーに提供される。ユーザーがＵＳＢメモリをコンピュータに接続すると、ＵＳＢメモリのドライブがマイコンピュータ内に自動的に作成される。ＯＳによっては、ドライバのインストールが必要であるがＵＳＢメモリはマスストレージ対応製品であるので、基本的にはＵＳＢポートにさすのみで使用を始めることができる。パソコンにさすだけで、ＯＳによってはＡＵＴＯＲＵＮプログラムにより自動的に、ＵＳＢメモリのドライブをクリックするだけでコピーをすることを確認する画面がでる。データをコピーする場所を確認してＯＫを押すだけで、ＵＳＢメモリからパソコンへのオープンオフィス関連データのコピーがされる。
【００２３】
コピーが完了するとユーザーは、ＵＳＢメモリをフォーマットして通常のＵＳＢメモリとして使うことができ、パソコンにコピーされたオープンオフィスのデータは各自が任意でインストールして使うことができる。
【００２４】
ＵＳＢメモリにより広告や宣伝の情報をユーザーに提供する場合の実施例について説明する。広告や宣伝のデータは、ユーザーにとって有用と意識させるための、クーポン・割引券を前面に出して作成されているソフトウェアプログラムであり、ＵＳＢメモリ内に格納されてユーザーに提供される。ユーザーがＵＳＢメモリをさしこみ、ＵＳＢメモリのドライブをクリック、もしくは差し込むのみでコピーを行うプログラムが起動して、ユーザーの指定したフォルダにコピーを開始する。ユーザーはコピー後に空き容量を増やすために、広告などを消去することができる。ユーザーはコピーしたデータをＵＳＢメモリなしでも閲覧することができ、広告を提供する媒体としての役割をＵＳＢメモリが果たすことが可能になる。その広告収入ために、ハードウェアの価格を下げることができＵＳＢメモリを大量に市場で流通させて、広告を増やすという好循環をつくることが可能である。それは本発明により可能となったことであり、自動的にファイルをコピーするという機能なしでは簡単に実現できないモデルである。
【００２５】
【発明の効果】
本発明品である自動コピー機能を持ったＵＳＢメモリを使うことにより、以下のような効果を得ることができる。
（１）  ＵＳＢメモリを媒体として、データやプログラムをユーザーに提供し、それをコンピュータにコピーすることで自動的に提供データのバックアップを行う。
（２）  ＵＳＢメモリ内のデータを消去してしまった場合でも、自動的にコンピュータにコピーされたデータを使うことが可能になる。
（３）  ユーザーが任意で提供したデータのコピーを行わなくとも、ＵＳＢメモリ内に格納されたプログラムが自動的にコンピュータにコピーを行うのでバックアップの手間が省かれる。
【００２６】
更に、そのようなメリットが得られるために以下のような相乗効果を得ることができる。ユーザーにとって有益である、オープンオフィスや割引クーポンチケットなどを格納して、コンピュータに自動的にコピーすることで、ユーザーにとって魅力的なソフトを格納したＵＳＢメモリの使い勝手が大変によくなり、他のＵＳＢメモリと差別化できて優位性を出すことができるるために多くの数量を販売することが可能になる。
【００２７】
そして、多くの数量を販売可能となったメディアに広告・宣伝（割引き、クーポンチケット）を入れることで、広告収入を得てＵＳＢメモリの価格を下げていくことが可能になり、更に多くの数量を流通させることが可能になる。
【図面の簡単な説明】
【図１】ＵＳＢメモリの概念図
【符号の説明】
１  ＵＳＢメモリ
２  ＵＳＢ端子
３  不揮発性メモリ
４  コントロールチップ
５  コンピュータへＵＳＢメモリ内のデータを自動的にコピーする機能を持ったソフトウェアプログラム
６  不揮発性メモリ内に格納されたデータファイル
７  自己解凍機能を持ち、圧縮されて格納されているソフトウェアプログラムやデータファイルを持った自己解凍ファイル
８  自己解凍機能を持ったプログラムを自動的に起動させるオートランプログラム
【図１】
2004318487.tif 000003